(57)【要約】【課題】ネットワーク監視装置が、ＩＣＭＰ ＥＣＨＯを用いて監視対象装置の回線の統計情報を収集できるようにする。【解決手段】監視装置１００は統計情報ヘッダを作成し、作成した統計情報ヘッダをＩＣＭＰペイロードとするＩＣＭＰ ＥＣＨＯを監視対象装置１１０に送信する。監視対象装置１１０はそれを受信し、正常な統計情報ヘッダが格納されているものと判断すると、統計情報を取り出すべき回線を特定して、統計情報を記憶装置１１３から取得しＩＣＭＰ ＥＣＨＯのペイロードに書き込み返送する。監視装置１００は返送されてきたＩＣＭＰ ＥＣＨＯ ＲＥＰＬＹのペイロードに正常な統計情報が格納されていると判断すると、その統計情報を取り出し記憶装置１０４に記憶する。これにより、ＳＮＭＰを使う場合に比べて、コストをかけずに、メモリ容量の制限が厳しい小型装置から統計情報の収集を行え、より多くの統計情報の収集が可能になる。【選択図】  図１
2005286458.tif 000002
【特許請求の範囲】
【請求項１】
監視装置からネットワークを介して監視対象装置を監視するネットワーク監視方法において、
前記監視装置が、前記監視対象装置に対するコマンドを含む統計情報ヘッダをＩＣＭＰペイロードとするＩＣＭＰ ＥＣＨＯパケットを前記ネットワークを介して前記監視対象装置に送信し、
前記監視対象装置が、受信した前記ＩＣＭＰ ＥＣＨＯパケットのＩＣＭＰペイロードを解析してコマンドが含まれていた場合にはそのコマンドを実行し、コマンド実行結果をＩＣＭＰペイロードに追加したＩＣＭＰ ＥＣＨＯ ＲＥＰＬＹパケットを前記ネットワークを介して前記監視装置に送信し、
前記監視装置が、受信したＩＣＭＰ ＥＣＨＯ ＲＥＰＬＹパケットのＩＣＭＰペイロードを解析してコマンドの実行結果が含まれていればそのコマンド実行結果を抽出することを特徴とするネットワーク監視方法。
【請求項２】
前記コマンドは、ＩＣＭＰ ＥＣＨＯパケットの送信先ＩＰアドレスに対応する回線の統計情報を要求するコマンドであることを特徴とする請求項１記載のネットワーク監視方法。
【請求項３】
前記コマンドは、回線番号の一覧を要求するコマンドであることを特徴とする請求項２記載のネットワーク監視方法。
【請求項４】
前記コマンドは、前記統計情報ヘッダに含まれるパラメタで指定した回線番号の回線の統計情報を要求するコマンドであることを特徴とする請求項３記載のネットワーク監視方法。
【請求項５】
監視装置からネットワークを介して監視対象装置を監視するネットワーク監視システムにおいて、
前記監視対象装置に対するコマンドを含む統計情報ヘッダをＩＣＭＰペイロードとするＩＣＭＰ ＥＣＨＯパケットを、ＩＣＭＰ処理手段を通じて前記ネットワークを介して前記監視対象装置に送信し、受信したＩＣＭＰ ＥＣＨＯ ＲＥＰＬＹパケットのＩＣＭＰペイロードを解析してコマンドの実行結果が含まれていればそのコマンド実行結果を抽出する統計情報要求手段を前記監視装置に備え、
受信した前記ＩＣＭＰ ＥＣＨＯパケットのＩＣＭＰペイロードを解析してコマンドが含まれていた場合にはそのコマンドを実行し、コマンド実行結果をＩＣＭＰペイロードに追加したＩＣＭＰ ＥＣＨＯ ＲＥＰＬＹパケットを、ＩＣＭＰ処理手段を通じて前記ネットワークを介して前記監視装置に送信する統計情報応答手段を前記監視対象装置に備えることを特徴とするネットワーク監視システム。
【請求項６】
前記コマンドは、ＩＣＭＰ ＥＣＨＯパケットの送信先ＩＰアドレスに対応する回線の統計情報を要求するコマンドであることを特徴とする請求項５記載のネットワーク監視システム。
【請求項７】
前記コマンドは、回線番号の一覧を要求するコマンドであることを特徴とする請求項６記載のネットワーク監視システム。
【請求項８】
前記コマンドは、前記統計情報ヘッダに含まれるパラメタで指定した回線番号の回線の統計情報を要求するコマンドであることを特徴とする請求項７記載のネットワーク監視システム。
【請求項９】
ネットワークを介して監視対象装置を監視するネットワーク機器において、
前記監視対象装置に対するコマンドを含む統計情報ヘッダをＩＣＭＰペイロードとするＩＣＭＰ ＥＣＨＯパケットを、ＩＣＭＰ処理手段を通じて前記ネットワークを介して前記監視対象装置に送信し、前記監視対象装置が前記ＩＣＭＰ ＥＣＨＯパケットのＩＣＭＰペイロードに含まれるコマンドを実行したコマンド実行結果をＩＣＭＰペイロードに追加したＩＣＭＰ ＥＣＨＯ ＲＥＰＬＹパケットを前記ネットワークを介して返却してきた場合に、受信した前記ＩＣＭＰ ＥＣＨＯ ＲＥＰＬＹパケットのＩＣＭＰペイロードを解析してコマンドの実行結果が含まれていればそのコマンド実行結果を抽出する統計情報要求手段を備えることを特徴とするネットワーク機器。
【請求項１０】
ネットワークを介して監視装置から監視されるネットワーク機器において、
コマンドを含む統計情報ヘッダをＩＣＭＰペイロードとするＩＣＭＰ ＥＣＨＯパケットを前記監視対象から前記ネットワークを介して受信したＩＣＭＰ処理手段から前記ＩＣＭＰ ＥＣＨＯパケットを受け取り、そのＩＣＭＰペイロードを解析してコマンドが含まれていた場合にはそのコマンドを実行し、コマンド実行結果をＩＣＭＰペイロードに追加したＩＣＭＰ ＥＣＨＯ ＲＥＰＬＹパケットを前記ＩＣＭＰ処理手段を通じて前記ネットワークを介して前記監視装置に送信する統計情報応答手段を備えることを特徴とするネットワーク機器。
【請求項１１】
前記コマンドは、ＩＣＭＰ ＥＣＨＯパケットの送信先ＩＰアドレスに対応する回線の統計情報を要求するコマンドであることを特徴とする請求項９または１０記載のネットワーク機器。
【請求項１２】
前記コマンドは、回線番号の一覧を要求するコマンドであることを特徴とする請求項１１記載のネットワーク機器。
【請求項１３】
前記コマンドは、前記統計情報ヘッダに含まれるパラメタで指定した回線番号の回線の統計情報を要求するコマンドであることを特徴とする請求項１２記載のネットワーク機器。
【発明の詳細な説明】
【技術分野】
【０００１】
本発明はネットワーク監視方法及びシステムに関し、特にＩＣＭＰを通信手順として使用したネットワーク監視方法及びシステムに関する。
【背景技術】
【０００２】
従来、ネットワーク監視装置とその監視対象装置との間で統計情報を受け渡しする場合には、ＳＮＭＰ（Ｓｉｍｐｌｅ Ｎｅｔｗｏｒｋ Ｍａｎａｇｅｍｅｎｔ Ｐｒｏｔｏｃｏｌ）やＣＭＩＰ（Ｃｏｍｍｏｎ Ｍａｎａｇｅｍｅｎｔ Ｉｎｆｏｒｍａｔｉｏｎ Ｐｒｏｔｏｃｏｌ）などのネットワーク管理プロトコルを通信手順として使用してきた（特許文献１）。特許文献２に記載されているようにＩＣＭＰ（Ｉｎｔｅｒｎｅｔ Ｃｏｎｔｒｏｌ Ｍｅｓｓａｇｅ Ｐｒｏｔｏｃｏｌ：ＲＦＣ７９２で規定される）というプロトコルも存在するが、このプロトコルは、ＩＰのエラーメッセージや制御メッセージを知らせる管理用のプロトコルとして使用されており、監視対象装置の統計情報の収集には利用できない。ここで、監視対象装置とは、ルータあるいはコンピュータといったＴＣＰ／ＩＰによるネットワーク機能を備えたプログラム制御装置により動作する装置である。
【０００３】
例えば、従来のネットワーク監視のための統計情報の収集の例が、特許文献３に記載されている。図１２に示すように、従来のネットワーク監視方法は、監視装置側のＳＮＭＰマネージャおよびＭＩＢ（Ｍａｎａｇｅｍｅｎｔ Ｉｎｆｏｒｍａｔｉｏｎ Ｂａｓｅ）と、監視対象側のＳＮＭＰエージェントおよびＭＩＢとで構成されている。ＳＮＭＰマネージャは、統計情報を収集する監視対象装置のＳＮＭＰエージェントに対しＳＮＭＰ通信手段のＧｅｔ Ｒｅｑｕｅｓｔメッセージにより取得したいＭＩＢを要求する。この要求を受けた監視対象装置のＳＮＭＰエージェントはそのＧｅｔ Ｒｅｑｕｅｓｔメッセージを解析し、対応するＭＩＢをＳＮＭＰ通信手段のＧｅｔ ＲｅｓｐｏｎｓｅメッセージによりＳＮＭＰマネージャに応答する。このように従来は、ＳＮＭＰ通信手段を使用して統計情報の収集を行ってきた。
【特許文献１】特開２００１−２５７７２２号公報
【特許文献２】特開２００１−１６８９５０号公報
【特許文献３】特開２００１−３３３０７２号広報
【発明の開示】
【発明が解決しようとする課題】
【０００４】
しかしながら、ネットワーク監視装置とその監視対象装置との間で統計情報の受け渡しを行うには、それぞれにＳＮＭＰなどのネットワーク管理プロトコルを実装する必要があり、コストが嵩むという問題があった。また、特に小型装置などでは、メモリの容量の制限が厳しくてＳＮＭＰの実装が困難であるため、統計情報の収集が困難であった。
【０００５】
そこで本発明の目的は、ＳＮＭＰ等のプロトコルを使わずにネットワーク監視が行えるようにすることにある。
【０００６】
本発明の別の目的は、ネットワーク監視装置とその監視対象装置のそれぞれの装置にＳＮＭＰ等を実装することなく統計情報の受け渡しを行えるようにし、また、メモリ容量の制限などの原因により統計情報の収集が行えなかった小型装置からも統計情報の収集を行えるようにすることにより、統計情報の収集のコストを削減し、より多くの統計情報の収集を可能にすることにある。
【課題を解決するための手段】
【０００７】
本発明は、上記目的を達成するために、ＴＣＰ／ＩＰネットワークを構成するネットワーク監視装置および監視対象装置には必ず実装されているＩＣＭＰを通信手順として使って、ネットワーク監視を実現する。
【０００８】
具体的には、本発明の第１のネットワーク監視方法は、
監視装置からネットワークを介して監視対象装置を監視するネットワーク監視方法において、
前記監視装置が、前記監視対象装置に対するコマンドを含む統計情報ヘッダをＩＣＭＰペイロードとするＩＣＭＰ ＥＣＨＯパケットを前記ネットワークを介して前記監視対象装置に送信し、
前記監視対象装置が、受信した前記ＩＣＭＰ ＥＣＨＯパケットのＩＣＭＰペイロードを解析してコマンドが含まれていた場合にはそのコマンドを実行し、コマンド実行結果をＩＣＭＰペイロードに追加したＩＣＭＰ ＥＣＨＯ ＲＥＰＬＹパケットを前記ネットワークを介して前記監視装置に送信し、
前記監視装置が、受信したＩＣＭＰ ＥＣＨＯ ＲＥＰＬＹパケットのＩＣＭＰペイロードを解析してコマンドの実行結果が含まれていればそのコマンド実行結果を抽出することを特徴とする。
【０００９】
本発明の第２のネットワーク監視方法は、第１のネットワーク監視方法において、前記コマンドは、ＩＣＭＰ ＥＣＨＯパケットの送信先ＩＰアドレスに対応する回線の統計情報を要求するコマンドであることを特徴とする。
【００１０】
本発明の第３のネットワーク監視方法は、第２のネットワーク監視方法において、前記コマンドは、回線番号の一覧を要求するコマンドであることを特徴とする。
【００１１】
本発明の第４のネットワーク監視方法は、第３のネットワーク監視方法において、前記コマンドは、前記統計情報ヘッダに含まれるパラメタで指定した回線番号の回線の統計情報を要求するコマンドであることを特徴とする。
【００１２】
本発明の第１のネットワーク監視システムは、監視装置からネットワークを介して監視対象装置を監視するネットワーク監視システムにおいて、
前記監視対象装置に対するコマンドを含む統計情報ヘッダをＩＣＭＰペイロードとするＩＣＭＰ ＥＣＨＯパケットを、ＩＣＭＰ処理手段を通じて前記ネットワークを介して前記監視対象装置に送信し、受信したＩＣＭＰ ＥＣＨＯ ＲＥＰＬＹパケットのＩＣＭＰペイロードを解析してコマンドの実行結果が含まれていればそのコマンド実行結果を抽出する統計情報要求手段を前記監視装置に備え、
受信した前記ＩＣＭＰ ＥＣＨＯパケットのＩＣＭＰペイロードを解析してコマンドが含まれていた場合にはそのコマンドを実行し、コマンド実行結果をＩＣＭＰペイロードに追加したＩＣＭＰ ＥＣＨＯ ＲＥＰＬＹパケットを、ＩＣＭＰ処理手段を通じて前記ネットワークを介して前記監視装置に送信する統計情報応答手段を前記監視対象装置に備えることを特徴とする
【００１３】
本発明の第２のネットワーク監視システムは、第１のネットワーク監視システムにおいて、前記コマンドは、ＩＣＭＰ ＥＣＨＯパケットの送信先ＩＰアドレスに対応する回線の統計情報を要求するコマンドであることを特徴とする。
【００１４】
本発明の第３のネットワーク監視システムは、第２のネットワーク監視システムにおいて、前記コマンドは、回線番号の一覧を要求するコマンドであることを特徴とする。
【００１５】
本発明の第４のネットワーク監視システムは、第３のネットワーク監視システムにおいて、前記コマンドは、前記統計情報ヘッダに含まれるパラメタで指定した回線番号の回線の統計情報を要求するコマンドであることを特徴とする。
【００１６】
本発明の第１のネットワーク機器は、ネットワークを介して監視対象装置を監視するネットワーク機器において、
前記監視対象装置に対するコマンドを含む統計情報ヘッダをＩＣＭＰペイロードとするＩＣＭＰ ＥＣＨＯパケットを、ＩＣＭＰ処理手段を通じて前記ネットワークを介して前記監視対象装置に送信し、前記監視対象装置が前記ＩＣＭＰ ＥＣＨＯパケットのＩＣＭＰペイロードに含まれるコマンドを実行したコマンド実行結果をＩＣＭＰペイロードに追加したＩＣＭＰ ＥＣＨＯ ＲＥＰＬＹパケットを前記ネットワークを介して返却してきた場合に、受信した前記ＩＣＭＰ ＥＣＨＯ ＲＥＰＬＹパケットのＩＣＭＰペイロードを解析してコマンドの実行結果が含まれていればそのコマンド実行結果を抽出する統計情報要求手段を備えることを特徴とする。
【００１７】
本発明の第２のネットワーク機器は、ネットワークを介して監視装置から監視されるネットワーク機器において、
コマンドを含む統計情報ヘッダをＩＣＭＰペイロードとするＩＣＭＰ ＥＣＨＯパケットを前記監視対象から前記ネットワークを介して受信したＩＣＭＰ処理手段から前記ＩＣＭＰ ＥＣＨＯパケットを受け取り、そのＩＣＭＰペイロードを解析してコマンドが含まれていた場合にはそのコマンドを実行し、コマンド実行結果をＩＣＭＰペイロードに追加したＩＣＭＰ ＥＣＨＯ ＲＥＰＬＹパケットを前記ＩＣＭＰ処理手段を通じて前記ネットワークを介して前記監視装置に送信する統計情報応答手段を備えることを特徴とする。
【００１８】
本発明第３のネットワーク機器は、第１または第２記載のネットワーク機器において、前記コマンドは、ＩＣＭＰ ＥＣＨＯパケットの送信先ＩＰアドレスに対応する回線の統計情報を要求するコマンドであることを特徴とする。
【００１９】
本発明第４のネットワーク機器は、第３のネットワーク機器において、前記コマンドは、回線番号の一覧を要求するコマンドであることを特徴とする。
【００２０】
本発明第５のネットワーク機器は、第４のネットワーク機器において、前記コマンドは、前記統計情報ヘッダに含まれるパラメタで指定した回線番号の回線の統計情報を要求するコマンドであることを特徴とする。
【発明の効果】
【００２１】
本発明のネットワーク監視方法及びシステムによれば、ＩＣＭＰを通信手順として使ってネットワーク監視が行える。その理由は、監視装置が、監視対象装置に対するコマンドを含む統計情報ヘッダをＩＣＭＰペイロードとするＩＣＭＰ ＥＣＨＯパケットをネットワークを介して監視対象装置に送信すれば、監視対象装置が、受信したＩＣＭＰ ＥＣＨＯパケットのＩＣＭＰペイロードに含まれるコマンドを実行し、そのコマンド実行結果をＩＣＭＰペイロードに追加したＩＣＭＰ ＥＣＨＯ ＲＥＰＬＹパケットをネットワークを介して監視装置に送信し、監視装置が、受信したＩＣＭＰ ＥＣＨＯ ＲＥＰＬＹパケットのＩＣＭＰペイロードからコマンドの実行結果を抽出するためである。特に、コマンドとして、ＩＣＭＰ ＥＣＨＯパケットの送信先ＩＰアドレスに対応する回線の統計情報を要求するコマンドを使えば、統計情報の収集が可能になる。
【００２２】
また、コマンドとして回線番号の一覧を要求するコマンドを使えば、監視対象装置に存在するすべての回線番号を監視装置が知ることができ、コマンドとして、統計情報ヘッダに含まれるパラメタで指定した回線番号の回線の統計情報を要求するコマンドを使うことにより、監視対象装置に存在するすべての回線に対応するＩＰアドレスを知らなくても、全回線の統計情報を収集することが可能になる。
【発明を実施するための最良の形態】
【００２３】
本発明の第１の実施例について図面を参照して詳細に説明する。
【００２４】
図１を参照すると、本発明の第１の実施例は、例えば回線の送受信パケット数、送受信バイト数などの統計情報を他の装置から中継ネットワークを介して収集し管理するネットワーク監視システムであり、プログラム制御により動作するコンピュータである監視装置１００と、ルータあるいはコンピュータといったＴＣＰ／ＩＰによるネットワーク機能を備えたプログラム制御により動作する監視対象装置１１０とが、インターネットなどの中継ネットワークを介して相互に通信可能に接続されている。
【００２５】
監視装置１００は、監視対象装置１１０のＩＰアドレス情報を記憶しているメモリまたはハードディスク等の記憶装置１０３、監視装置１００が収集した統計情報を記憶するメモリまたはハードディスク等の記憶装置１０４、統計情報要求手段１０１、ＩＣＭＰ処理手段１０２を有する。
【００２６】
また、実際に監視装置１００に監視される監視対象装置１１０は、監視対象装置１１０の回線の統計情報を記録するメモリまたはハードディスク等の記憶装置１１３、ＩＣＭＰ処理手段１１１、統計情報応答手段１１２を有する。
【００２７】
監視装置１００の統計情報要求手段１０１、ＩＣＭＰ処理手段１０２、監視対象装置１１０のＩＣＭＰ処理手段１１１、統計情報応答手段１１２は概ね次のように動作する。
【００２８】
統計情報要求手段１０１は、記憶装置１０３にあらかじめ記憶されている監視対象装置１１０のＩＰアドレスに対して、統計情報ヘッダをＩＣＭＰペイロードとするＩＣＭＰ ＥＣＨＯを送信するように、ＩＣＭＰ処理手段１０２に指示する。また一方では、ＩＣＭＰ処理手段１０２から通知されたＩＣＭＰ ＥＣＨＯ ＲＥＰＬＹのＩＣＭＰペイロードに統計情報ヘッダが存在するかどうかを判断する。ＩＣＭＰペイロードに統計情報ヘッダが存在する場合、統計情報ペイロードから統計情報を取り出し、記憶装置１０４に記憶する。ＩＣＭＰペイロードに統計情報ヘッダが存在しない場合は、通常のＩＣＭＰ ＥＣＨＯ ＲＥＰＬＹ受信処理を行うようにＩＣＭＰ処理手段１０２に指示する。
【００２９】
ＩＣＭＰ処理手段１０２は、既存のＩＣＭＰ処理を基礎とし、指定されたＩＣＭＰペイロードを使用してＩＣＭＰ ＥＣＨＯを送信できるように、また受信したＩＣＭＰ ＥＣＨＯ ＲＥＰＬＹを統計情報要求手段１０１に通知するように拡張している。
【００３０】
ＩＣＭＰ処理手段１１１は、既存のＩＣＭＰ処理を基礎とし、受信したＩＣＭＰ ＥＣＨＯを統計情報応答手段１１２に通知できるように、また指定されたＩＣＭＰペイロードを使用してＩＣＭＰ ＥＣＨＯ ＲＥＰＬＹを送信できるように拡張している。
【００３１】
統計情報応答手段１１２は、ＩＣＭＰ処理手段１１１から通知されたＩＣＭＰ ＥＣＨＯのＩＣＭＰペイロードに統計情報ヘッダが存在するかどうかを判断する。ＩＣＭＰペイロードに統計情報ヘッダが存在する場合、通知されたＩＣＭＰ ＥＣＨＯの送信先ＩＰアドレスに対応する回線の統計情報を記憶装置１１３から取り出し、統計情報ヘッダと取り出した統計情報をＩＣＭＰペイロードとするＩＣＭＰ ＥＣＨＯ ＲＥＰＬＹを送信するように、ＩＣＭＰ処理手段１１１に指示する。ＩＣＭＰペイロードに統計情報ヘッダが存在しない場合、通常のＩＣＭＰ ＥＣＨＯ ＲＥＰＬＹ処理を行うようにＩＣＭＰ処理手段１１１に指示する。
【００３２】
次に、図１と、図２および図３のフローチャート、また図４、図５、図６のメッセージ形式を参照して本発明の第１の実施例の動作について説明する。
【００３３】
監視装置１００は監視対象装置１１０の回線の統計情報を要求するために、まず、統計情報要求手段１０１により統計情報を要求するための統計情報ヘッダを、図４、図６を基に作成する。マジック番号には統計情報ヘッダであるかないかの判定用の固定値を設定し、パラメタは０を設定し、フラグはＡＣＫビットを０に設定する。統計情報を要求する場合にはコマンドには１を設定し、通常のＩＣＭＰ ＥＣＨＯ ＲＥＰＬＹを要求する場合には０を設定する。そして、タイムスタンプには統計情報ヘッダを作成した時刻を設定する（ステップＡ１）。
【００３４】
統計情報要求手段１０１は、作成した統計情報ヘッダをＩＣＭＰペイロードとするＩＣＭＰ ＥＣＨＯを、記憶装置１０３に記憶されている監視対象装置１１０のＩＰアドレスに送信するように、ＩＣＭＰ処理手段１０２に指示する（ステップＡ２）。指示を受けたＩＣＭＰ処理手段１０２は、渡されたＩＣＭＰペイロードを使用して、既存機能によりＩＣＭＰ ＥＣＨＯを監視対象装置１１０に送信する（ステップＡ３）。この後の監視装置１００での処理は、送信したＩＣＭＰ ＥＣＨＯに対するＲＥＰＬＹが監視対象装置１１０から返送されてきたときに再開する。
【００３５】
一方、監視対象装置１１０は、ＩＣＭＰ処理手段１１１が、監視装置１００からＩＣＭＰ ＥＣＨＯを受信したことで処理を開始する（ステップＢ１）。
【００３６】
まず、ＩＣＭＰ処理手段１１１は、受信したＩＣＭＰ ＥＣＨＯが統計情報を要求するものであるかどうかを判定するために統計情報応答手段１１２に通知する（ステップＢ２）。通知を受けた統計情報応答手段１１２は、受信したＩＣＭＰ ＥＣＨＯの統計情報ヘッダのマジック番号が決められた固定値と一致しているかどうかをチェックする（ステップＢ３）。また、統計情報ヘッダのフラグのＡＣＫビットが０であるかどうかをチェックする（ステップＢ４）。図６よりフラグのＡＣＫビットが０であることは、受信したＩＣＭＰ ＥＣＨＯが統計情報要求処理であることを意味するので、受信したＩＣＭＰ ＥＣＨＯが統計情報を要求するものであるならば、ここでのフラグのＡＣＫビットは０でなければならない。
【００３７】
次に、統計情報ヘッダのコマンドの値が１かどうか、あるいは、コマンドおよびパラメタの値が図６に定義した正しい値であるか、またその組み合わせが正しいかどうかをチェックする（ステップＢ５）。受信したＩＣＭＰ ＥＣＨＯが統計情報を要求するものであるならば、図６よりコマンドの値は１でなければならない。よって、統計情報応答手段１１２は、ステップＢ３でマジック番号が決められた固定値と一致していない場合、ステップＢ４でフラグのＡＣＫビットが０でない場合、およびステップＢ５でコマンドの値が０の場合、あるいはコマンドおよびパラメタの値が図６に定義した正しい値でない場合、またその組み合わせが正しくない場合のこれらいずれか１つに当てはまると判定した場合には、ＩＣＭＰ処理手段１１１により通常のＩＣＭＰ ＥＣＨＯ受信処理を行う（ステップＢ１０）。
【００３８】
ステップＢ３でマジック番号が決められた固定値と一致していて、かつステップＢ４でフラグのＡＣＫビットが０であり、さらにステップＢ５でコマンドの値が１である時、この場合、統計情報応答手段１１２はＩＣＭＰ ＥＣＨＯのＩＣＭＰペイロードには正常な統計情報ヘッダが格納されているものと判断し、ＩＣＭＰ ＥＣＨＯの送信先ＩＰアドレスから統計情報を取り出すべき自装置１１０の対応する回線を特定する（ステップＢ６）。そして、ステップＢ６で特定した回線の統計情報を記憶装置１１３から取得し、図５のようにＩＣＭＰ ＥＣＨＯのＩＣＭＰペイロードに書き込む（ステップＢ７）。
【００３９】
また、受信したＩＣＭＰ ＥＣＨＯに格納されている統計情報ヘッダのフラグのＡＣＫビットを１に書き換え、さらにタイムスタンプを、ステップＢ６で特定した回線の統計情報がＩＣＭＰ ＥＣＨＯのＩＣＭＰペイロードに書き込まれた時刻に書き換えて、応答用の統計情報ヘッダを作成する（ステップＢ８）。そして、ＩＣＭＰ ＥＣＨＯのＩＣＭＰヘッダのチェックサムを計算しなおし、またそのＩＣＭＰ ＥＣＨＯが含まれるＩＰヘッダのデータ長を統計情報ペイロードに書きこんだ統計情報のオクテット数分増加させる。
【００４０】
これによりステップＢ７とステップＢ８で書き込んだ統計情報ヘッダおよび統計情報をＩＣＭＰペイロードとするＩＣＭＰ ＥＣＨＯを受信したように見せかける（ステップＢ９）。統計情報応答手段１１２からＩＣＭＰ ＥＣＨＯを受け取ったＩＣＭＰ処理手段１１１は、通常のＩＣＭＰ ＥＣＨＯ受信動作を行い、ＩＣＭＰ ＥＣＨＯ ＲＥＰＬＹがＩＣＭＰ ＥＣＨＯの送信元ＩＰアドレスに送信される。
【００４１】
監視装置１００は、監視対象装置１１０から返送されてきたＩＣＭＰ ＥＣＨＯ ＲＥＰＬＹを受信する（ステップＡ４）。そして、監視装置１００は受信したＩＣＭＰ ＥＣＨＯ ＲＥＰＬＹのＩＣＭＰペイロードが、監視装置１００がステップＡ３で送信したＩＣＭＰ ＥＣＨＯのＩＣＭＰペイロードと一致するかどうかチェックする（ステップＡ５）。
【００４２】
本発明で用いたＩＣＭＰでは、ＩＣＭＰ ＥＣＨＯのＩＣＭＰペイロードとその応答であるＩＣＭＰ ＥＣＨＯ ＲＥＰＬＹのＩＣＭＰペイロードとが同一であることを規定しているため、ＩＣＭＰペイロードが一致しないということは、ＩＣＭＰペイロードに統計情報が格納されているか、伝送路上でＩＣＭＰペイロードが壊れたかを意味する。
【００４３】
よって、ステップＡ５でＩＣＭＰペイロードが一致した場合は、ＩＣＭＰ ＥＣＨＯ ＲＥＰＬＹに統計情報は格納されていないということを意味するので、正常な通常のＩＣＭＰ ＥＣＨＯ ＲＥＰＬＹを受信したものとしてＩＣＭＰ処理手段１０２で通常のＩＣＭＰ ＥＣＨＯ ＲＥＰＬＹ受信処理を行う（ステップＡ１２）。また、ＩＣＭＰペイロードが一致しない場合には統計情報ヘッダが格納されているのかチェックするために統計情報要求手段１０１に通知する（ステップＡ６）。
【００４４】
通知を受けた統計情報要求手段１０１では、統計情報ヘッダのマジック番号が決められた固定値と一致しているかどうかをチェックし（ステップＡ７）、統計情報ヘッダのフラグのＡＣＫビットが１であるかチェックする（ステップＡ８）。これは図６よりフラグのＡＣＫビットが１であることは、受信したＩＣＭＰ ＥＣＨＯ ＲＥＰＬＹが統計情報応答処理であることを意味するので、受信したＩＣＭＰ ＥＣＨＯ ＲＥＰＬＹが、一度監視装置１００より送信されたＩＣＭＰ ＥＣＨＯの統計情報応答処理であるならば、ここでのフラグのＡＣＫビットは１でなければならない。
【００４５】
次に、統計情報ヘッダのコマンドとパラメタの値が正常かチェックする（ステップＡ９）。ステップＡ７、ステップＡ８またはステップＡ９のどれか１つでもチェックが不正と判定したときは、ＩＣＭＰ処理手段１０２より通常のＩＣＭＰ ＥＣＨＯ ＲＥＰＬＹとして受信処理を行う（ステップＡ１２）。
【００４６】
ステップＡ７、ステップＡ８またはステップＡ９ですべて正しいと判定したときは統計情報が格納されていると判断し、ＩＣＭＰ ＥＣＨＯ ＲＥＰＬＹのＩＣＭＰペイロードから統計情報を取り出し記憶装置１０４に記憶する（ステップＡ１０）。最後に正常な通常のＩＣＭＰ ＥＣＨＯ ＲＥＰＬＹを受信したものとして、ＩＣＭＰ処理手段１０２によりＩＣＭＰ ＥＣＨＯ ＲＥＰＬＹの受信正常時の処理を行う（ステップＡ１１）。
【００４７】
次に、本発明の第１の実施例の効果について説明する。
【００４８】
本発明の第１の実施例では、統計情報を要求するＩＣＭＰ ＥＣＨＯであっても監視対象装置１１０のＩＣＭＰ処理手段１１１では通常のＩＣＭＰ ＥＣＨＯと同様に扱えるよう構成をしているため、少ない機能追加でＩＣＭＰ ＥＣＨＯによる統計情報の収集が可能になる。また、監視対象装置が受信した統計情報ヘッダのマジック番号およびフラグのＡＣＫビットを用いて、統計情報が格納されているＩＣＭＰ ＥＣＨＯ ＲＥＰＬＹか、通常のＩＣＭＰ ＥＣＨＯ ＲＥＰＬＹかを判断できる構成にしているため、監視装置１００からは本発明の機能を持つ装置にも、持たない装置にもＩＣＭＰ ＥＣＨＯを送信することができ、またいずれの監視対象装置からのＩＣＭＰ ＥＣＨＯ ＲＥＰＬＹも受信することができる。
【００４９】
次に、本発明の第２の実施例について図面を参照して詳細に説明する。
【００５０】
図７を参照すると、本発明の第２の実施例は、統計情報を他の装置から中継ネットワークを介して収集し管理するネットワーク監視システムであり、プログラム制御により動作するコンピュータである監視装置２００とルータあるいはコンピュータといったＴＣＰ／ＩＰによるネットワーク機能を備えたプログラム制御により動作する監視対象装置２１０とが、インターネットなどの中継ネットワークを介して相互に通信可能に接続されている。
【００５１】
監視装置２００は、監視対象装置２１０のＩＰアドレス情報を記憶しているメモリまたはハードディスク等の記憶装置２０３、監視装置２００が収集した統計情報を記憶するメモリまたはハードディスク等の記憶装置２０４、監視対象装置２１０の持つ回線番号情報を記憶するメモリまたはハードディスク等の記憶装置２０５、統計情報要求手段２０１、ＩＣＭＰ処理手段２０２を有する。
【００５２】
また、実際に監視装置２００に監視される監視対象装置２１０は、監視対象装置２１０の回線の統計情報を記録するメモリまたはハードディスク等の記憶装置２１３、監視対象装置２１０に含まれる全回線の回線番号記録したメモリまたはハードディスク等の記憶装置２１４、ＩＣＭＰ処理手段２１１、統計情報応答手段２１２を有する。
【００５３】
本発明の第２の実施例では、第１の実施例に記憶装置２０５と記憶装置２１４を追加した構成となっている。
【００５４】
次に、図７と、図８および図９のフローチャート、また図４、図５、図１０のメッセージ形式を参照にして本発明の第２の実施例の動作について説明する。
【００５５】
監視装置２００は監視対象装置２１０の回線の統計情報、または回線番号情報を要求するために、まず、統計情報要求手段２０１により統計情報を要求するための統計情報ヘッダ、または回線番号情報を要求するための統計情報ヘッダを図４、図１０を基に作成する。
【００５６】
ここで言う回線番号とは、監視対象装置２１０内において回線を一意に特定できる番号である。いずれの場合にも、統計情報ヘッダのマジック番号には固定値を設定し、フラグはＡＣＫビットを０に設定し、タイムスタンプには統計情報ヘッダを作成した時刻を設定する。そして、監視装置２００から回線番号情報を要求する場合には、コマンドに２を設定し、パラメタは０に設定する。または、すでに監視対象装置２１０から回線番号情報を取得しており、記憶装置２０５に保存されている回線番号を使用して回線の統計情報を要求する場合にはコマンドに３を設定し、パラメタにはすでに取得済みである統計情報を収集したい回線の回線番号を設定する（ステップＣ１）。
【００５７】
統計情報要求手段２０１は、作成した統計情報ヘッダをＩＣＭＰペイロードとするＩＣＭＰ ＥＣＨＯを、記憶装置２０３に記憶されている監視対象装置２１０の回線のＩＰアドレスに送信するように、ＩＣＭＰ処理手段２０２に指示する（ステップＣ２）。指示を受けたＩＣＭＰ処理手段２０２は、渡されたＩＣＭＰペイロードを使用して、既存機能によりＩＣＭＰ ＥＣＨＯを監視対象装置２１０に送信する（ステップＣ３）。この後の監視装置２００での処理は、送信したＩＣＭＰ ＥＣＨＯに対するＲＥＰＬＹが監視対象装置２１０から返送されてきたときに再開する。ここまでの動作で第１の実施例と異なるのはステップＣ１である。
【００５８】
一方、監視対象装置２１０は、ＩＣＭＰ処理手段２１１が、監視装置２００からＩＣＭＰ ＥＣＨＯを受信し処理を開始する（ステップＤ１）。
【００５９】
まず、ＩＣＭＰ処理手段２１１は、受信したＩＣＭＰ ＥＣＨＯが統計情報を要求するのか、回線番号情報を要求するのかどうかを判定するために統計情報応答手段２１２に通知する（ステップＤ２）。通知を受けた統計情報応答手段２１２は、受信したＩＣＭＰ ＥＣＨＯの統計情報ヘッダのマジック番号が決められた固定値と一致しているかどうかをチェックする（ステップＤ３）。また、統計情報ヘッダのフラグのＡＣＫビットが０であるかどうかをチェックする（ステップＤ４）。図１０よりフラグのＡＣＫビットが０であることは、受信したＩＣＭＰ ＥＣＨＯが統計情報要求処理であることを意味するので、受信したＩＣＭＰ ＥＣＨＯが統計情報を要求するものであるならば、ここでのフラグのＡＣＫビットは０でなければならない。
【００６０】
次に、統計情報ヘッダのコマンドの値が１、２または３かどうか、あるいは、コマンドおよびパラメタの値が図１０に定義した正しい値であるか、またその組み合わせが正しいかどうかをチェックする（ステップＤ５）。受信したＩＣＭＰ ＥＣＨＯが送信先回線の統計情報を要求するものであるならば、図１０よりコマンドの値は１であり、受信したＩＣＭＰ ＥＣＨＯが監視対象装置２１０の回線番号情報を要求するものであるならば、図１０よりコマンドの値は２であり、受信したＩＣＭＰ ＥＣＨＯがパラメタで指定された回線番号に対応した回線の統計情報を要求するものであるならば、図１０よりコマンドの値は３である。
【００６１】
よって、統計情報応答手段２１２は、ステップＤ３でマジック番号が決められた固定値と一致していない場合、ステップＤ４でフラグのＡＣＫビットが０でない場合、およびステップＤ５でコマンドの値が０の場合、あるいはコマンドおよびパラメタの値が図１０に定義した正しい値でない場合、またその組み合わせが正しくない場合のこれらいずれか１つに当てはまると判定した場合には、ＩＣＭＰ処理手段２１１により通常のＩＣＭＰ ＥＣＨＯ受信処理を行う（ステップＤ１０）。
【００６２】
ステップＤ３でマジック番号が決められた固定値と一致していて、かつステップＤ４でフラグのＡＣＫビットが０であり、さらにステップＤ５でコマンドの値が１、２または３である時、この場合、統計情報応答手段２１２はＩＣＭＰ ＥＣＨＯのＩＣＭＰペイロードには正常な統計情報ヘッダが格納されているものと判断し、コマンドが１の場合は、ＩＣＭＰ ＥＣＨＯの送信先アドレスから統計情報を取り出すべき自装置２１０の対応する回線を特定する。コマンドが２の場合は、統計情報ヘッダのパラメタで指定された回線番号に対応する回線を、回線番号情報を取り出すべき回線とする。コマンドが３の場合は、すでにパラメタで回線番号が設定されているので特に何もしない（ステップＤ６）。
【００６３】
コマンドが１または３の場合は、該当する回線の統計情報を記憶装置２１３から取得し図５のようにＩＣＭＰ ＥＣＨＯのＩＣＭＰペイロードに書き込み、コマンドが２の場合は、監視装置２１０の持つ回線の回線番号情報が記録された記憶装置２１４から回線番号情報を取り出し、図５のようにＩＣＭＰ ＥＣＨＯのＩＣＭＰペイロードに書き込む（ステップＤ７）。
【００６４】
また、受信したＩＣＭＰ ＥＣＨＯに格納されている統計情報ヘッダのフラグのＡＣＫビットを１に書き換え、さらにタイムスタンプを、ステップＤ６で特定した回線の統計情報または回線番号情報がＩＣＭＰ ＥＣＨＯのＩＣＭＰペイロードに書き込まれた時刻に書き換えて、応答用の統計情報ヘッダを作成する（ステップＤ８）。そして、ＩＣＭＰ ＥＣＨＯのＩＣＭＰヘッダのチェックサムを計算しなおし、またそのＩＣＭＰ ＥＣＨＯが含まれるＩＰヘッダのデータ長を統計情報ペイロードに書きこんだ統計情報のオクテット数分増加させる。
【００６５】
これによりステップＤ７とステップＤ８で書き込んだ統計情報ヘッダおよび統計情報をＩＣＭＰペイロードとするＩＣＭＰ ＥＣＨＯを受信したように見せかける（ステップＤ９）。統計情報応答手段２１２からＩＣＭＰ ＥＣＨＯを受け取ったＩＣＭＰ処理手段２１１は、通常のＩＣＭＰ ＥＣＨＯ受信動作を行い、ＩＣＭＰ ＥＣＨＯ ＲＥＰＬＹがＩＣＭＰ ＥＣＨＯの送信元ＩＰアドレスに送信される。ここまでの動作で第１の実施例と異なるのはステップＤ６およびステップＤ７である。
【００６６】
監視装置２００は、監視対象装置２１０から返送されてきたＩＣＭＰ ＥＣＨＯ ＲＥＰＬＹを受信する（ステップＣ４）。そして、監視装置２００は受信したＩＣＭＰ ＥＣＨＯ ＲＥＰＬＹのＩＣＭＰペイロードが、監視装置２００がステップＣ３で送信したＩＣＭＰ ＥＣＨＯのＩＣＭＰペイロードと一致するかどうかチェックする（ステップＣ５）。
【００６７】
本発明の第１の実施例と同様に、ＩＣＭＰペイロードが一致しないということは、統計情報が格納されているか、伝送路上でＩＣＭＰペイロードが壊れたかを意味する。よって、ステップＣ５でＩＣＭＰペイロードが一致した場合は、ＩＣＭＰ ＥＣＨＯ ＲＥＰＬＹに統計情報は格納されていないということを意味するので、正常な通常のＩＣＭＰ ＥＣＨＯ ＲＥＰＬＹを受信したものとしてＩＣＭＰ処理手段２０２で通常のＩＣＭＰ ＥＣＨＯ ＲＥＰＬＹ受信処理を行う（ステップＣ１２）。また、ＩＣＭＰペイロードが一致しない場合には統計情報ヘッダが格納されいるのかチェックするために統計情報要求手段２０１に通知する（ステップＣ６）。
【００６８】
通知を受けた統計情報要求手段２０１では、統計情報ヘッダのマジック番号が決められた固定値と一致しているかどうかをチェックし（ステップＣ７）、統計情報ヘッダのフラグのＡＣＫビットが１であるかチェックする（ステップＣ８）。これは図１０よりフラグのＡＣＫビットが１であることは、受信したＩＣＭＰ ＥＣＨＯ ＲＥＰＬＹが統計情報応答処理であることを意味するので、受信したＩＣＭＰ ＥＣＨＯ ＲＥＰＬＹが、一度監視装置２００より送信されたＩＣＭＰ ＥＣＨＯの統計情報応答処理であるならば、ここでのフラグのＡＣＫビットは１でなければならない。
【００６９】
次に、統計情報ヘッダのコマンドとパラメタの値が正常かチェックする（ステップＣ９）。ステップＣ７、ステップＣ８またはステップＣ９のどれか１つでもチェックが不正と判定したときは、ＩＣＭＰ処理手段２０２より通常のＩＣＭＰ ＥＣＨＯ ＲＥＰＬＹとして受信処理を行う（ステップＣ１２）。
【００７０】
ステップＣ７、ステップＣ８またはステップＣ９ですべて正しいと判定したときは統計情報または回線番号情報が格納されていると判断し、コマンドが１あるいは３の場合には、ＩＣＭＰ ＥＣＨＯ ＲＥＰＬＹのＩＣＭＰペイロードから統計情報を取り出し記憶装置２０４に記憶させ、コマンドが２の場合には、ＩＣＭＰペイロードから回線番号情報を取り出し記憶装置２０５に記憶する（ステップＣ１０）。最後に正常な通常のＩＣＭＰ ＥＣＨＯ ＲＥＰＬＹを受信したものとして、ＩＣＭＰ処理手段２０２によりＩＣＭＰ ＥＣＨＯ ＲＥＰＬＹの受信正常時の処理を行う（ステップＣ１１）。ここまでの動作で第１の実施例と異なるのはステップＣ１０である。
【００７１】
次に、本発明の第２の実施例の効果について説明する。
【００７２】
本発明の第１の実施例では、監視対象装置１１０の統計情報を収集する回線の全てのＩＰアドレスが既知である必要があった。第２の実施例では、統計情報ヘッダを拡張し、監視対象装置２１０の回線番号を取得できるよう構成しているため、監視装置２００は監視対象装置２１０のある１つの回線に対応したＩＰアドレスが分かっていれば監視対象装置２１０の全ての回線の回線番号を取得できる。監視装置２００は取得した回線番号を利用して、あらかじめ知っている１つのＩＰアドレスに対してコマンドを３に設定し、パラメタに取得した回線番号を指定したＩＣＭＰ ＥＣＨＯを送信することで、監視対象装置２１０の全ての回線の統計情報を収集することができる。また統計情報を収集する回線のＩＰアドレスではなく回線番号を使用するため、ＩＰアドレスが設定されていない回線の統計情報を収集することが可能になる。
【００７３】
次に、本発明第３の実施例について図面を参照して詳細に説明する。
【００７４】
図１１を参照すると、本発明の第３の実施例は、統計情報を他の装置から中継ネットワークを介して収集し管理するための、プログラム制御により動作するコンピュータである監視装置３００と、本発明による機能を備えたルータあるいはコンピュータといったＴＣＰ／ＩＰによるネットワーク機能を備えた、プログラム制御により動作する監視対象装置３１０と、従来から存在するＳＮＭＰによる統計情報収集（ＳＮＭＰエージェント）に対応した監視対象装置３２０と、本発明による機能での統計情報の収集と、ＳＮＭＰでの情報収集とに対応した監視対象装置３３０とで構成されている。監視装置３００は従来のＳＮＭＰによる統計情報収集と本発明による統計情報収集とに対応したネットワーク管理手段３０１と、本発明による統計情報収集手段３０２と、ＳＮＭＰによる統計情報収集手段３０３とを含む。
【００７５】
図１１を参照して、第３の実施例の動作について説明する。
【００７６】
監視装置３００のネットワーク管理手段３０１は、監視対象装置が動作しているか確認するために監視対象装置３１０、監視対象装置３２０および監視対象装置３３０に対して従来行われているようにＩＣＭＰ ＥＣＨＯを送信することができるが、ここでは、本発明による統計情報収集手段３０２を使用し、ＩＣＭＰ ＥＣＨＯとして第２の実施例で説明したような回線番号情報を要求するＩＣＭＰ ＥＣＨＯを監視対象装置に対し送信する。
【００７７】
その結果、監視対象装置３２０は従来から存在するＳＮＭＰによる統計情報収集に対応していて、本発明によるＩＣＭＰ処理手段に対応していないためにＩＣＭＰペイロードには統計情報を書き込まず、監視装置３００から送られてきたＩＣＭＰ ＥＣＨＯと同じＩＣＭＰペイロードを持つＩＣＭＰ ＥＣＨＯ ＲＥＰＬＹを監視装置３００に返送する。これに対し、監視対象装置３１０および監視対象装置３３０は本発明の機能であるＩＣＭＰ処理手段に対応しているので、第２の実施例で説明したようにＩＣＭＰペイロードに回線番号情報を格納したＩＣＭＰ ＥＣＨＯ ＲＥＰＬＹを返送する。
【００７８】
このような動作を行うことにより、ネットワーク管理手段３０１は監視対象装置３１０と監視対象装置３３０とが本発明による機能で統計情報の収集が可能であることがわかる。
【００７９】
さらに、ネットワーク管理手段３０１は、本発明による機能で統計情報の収集が可能であることが分かった監視対象装置３１０と監視対象装置３３０とにＳＮＭＰによる統計情報収集手段３０３での統計情報の収集を行う。
【００８０】
その結果、監視対象装置３１０はＳＮＭＰによる統計情報収集に対応していないため統計情報の収集は失敗し、一方、監視対象装置３３０はＳＮＭＰによる統計情報収集に対応しているため統計情報の収集に成功する。
【００８１】
以上の動作を行うことにより、従来のＳＮＭＰによる統計情報収集に対応した監視対象装置３２０、３３０と本発明のＩＣＭＰによる統計情報収集に対応した監視対象装置３１０が混在した環境でも、それぞれの監視対象装置がどの統計情報収集に対応しているか一度わかれば、次からは監視対象装置３１０へは本発明による統計情報収集手段３０２を用いて統計情報を収集し、監視対象装置３２０と監視対象装置３３０とへはＳＮＭＰによる統計情報収集手段３０３を用いて統計情報を収集するというように、いずれの装置からも統計情報を収集することができる。
【図面の簡単な説明】
【００８２】
【図１】本発明の第１の実施例の構成図である。
【図２】監視装置の処理例を示すフローチャートである。
【図３】監視対象装置の処理例を示すフローチャートである。
【図４】ＩＣＭＰ ＥＣＨＯ送信時のＩＣＭＰペイロード形式を示す図である。
【図５】ＩＣＭＰ ＥＣＨＯ ＲＥＰＬＹ時のＩＣＭＰペイロード形式を示す図である。
【図６】本発明の第１の実施例における統計情報ヘッダのフィールドの詳細を示す図である。
【図７】本発明の第２の実施例の構成図である。
【図８】監視装置の処理例を示すフローチャートである。
【図９】監視対象装置の処理例を示すフローチャートである。
【図１０】本発明の第２の実施例における統計情報ヘッダのフィールドの詳細を示す図である。
【図１１】本発明の第３の実施例の構成図である。
【図１２】従来のＳＮＭＰによる統計情報収集の構成図である。
【符号の説明】
【００８３】
１００…監視装置
１０１…統計情報要求手段
１０２…ＩＣＭＰ処理手段
１０３…記憶装置
１０４…記憶装置
１１０…監視対象装置
１１１…ＩＣＭＰ処理手段
１１２…統計情報応答手段
１１３…記憶装置
２００…監視装置
２０１…統計情報要求手段
２０２…ＩＣＭＰ処理手段
２０３…記憶装置
２０４…記憶装置
２０５…記憶装置
２１０…監視対象装置
２１１…ＩＣＭＰ処理手段
２１２…統計情報応答手段
２１３…記憶装置
２１４…記憶装置
３００…監視装置
３０１…ネットワーク管理手段
３０２…本発明による統計情報収集手段
３０３…ＳＮＭＰによる統計情報収集手段
３１０…監視対象装置
３２０…監視対象装置
３３０…監視対象装置
【図１】
2005286458.tif 000003
【図２】
2005286458.tif 000004
【図３】
2005286458.tif 000005
【図４】
2005286458.tif 000006
【図５】
2005286458.tif 000007
【図６】
2005286458.tif 000008
【図７】
2005286458.tif 000009
【図８】
2005286458.tif 000010
【図９】
2005286458.tif 000011
【図１０】
2005286458.tif 000012
【図１１】
2005286458.tif 000013
【図１２】
2005286458.tif 000014